【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
スペクトルセンサ(１００)であって、前記スペクトルセンサ(１００)の動作時に、前記スペクトルセンサ(１００)下を搬送速度で搬送される、有価証券類(１)を検査するための前記スペクトルセンサ(１００)において、
それぞれの発光スペクトル(Ｅ１〜Ｅ１２)が相互に異なる複数の光源(１５)を有する照明ユニット(５０)であって、前記スペクトルセンサ(１００)の動作時に、前記相異なる発光スペクトル(Ｅ１〜Ｅ１２)を有する光パルス(Ｐ１〜Ｐ１２)の照明シーケンス(Ｂ１)によって前記有価証券類(１)の一領域(２)を照明するため、前記複数の光源(１５)のオン／オフが次々に切り換えられる、照明ユニット(５０)、
前記スペクトルセンサ(１００)の動作時に、前記照明ユニット(５０)によって放射される光を前記有価証券類(１)の前記照明領域(２)上に結像させる結像光学系(２５)、及び
前記スペクトルセンサ(１００)の動作時に、前記照明シーケンス(Ｂ１)の前記光パルス(Ｐ１〜Ｐ１２)によって照明された前記領域(２)から発する光を検出するための検出ユニット(３０)であって、前記照明シーケンス(Ｂ１)の前記光パルス(Ｐ１〜Ｐ１２)のそれぞれに対して前記検出された光の強度に対応する測定値が検出される、検出ユニット(３０)、
を備え、
前記複数の光源(１５)は近赤外スペクトル範囲の一区間及び／または可視スペクトル範囲の一区間を、前記スペクトルセンサ(１００)が前記測定値の前記検出により、近赤外スペクトル範囲の前記区間内及び／または可視スペクトル範囲の前記区間内のスペクトル強度分布を記録することができるような態様で、カバーすることを特徴とするスペクトルセンサ(１００)。
【請求項２】
前記スペクトルセンサ(１００)が、可視スペクトル範囲から近赤外スペクトル範囲内にまで拡がるスペクトル強度分布を記録することができるように、前記光源(１５)が選ばれることを特徴とする請求項１に記載のスペクトルセンサ(１００)。
【請求項３】
前記照明領域(２)に含まれ得る目視同色(Ｃ１，Ｃ２)を前記目視同色(Ｃ１，Ｃ２)から発する光の検出時に前記スペクトルセンサ(１００)が記録する前記スペクトル強度分布に基づいて相互に弁別することができるような態様で、前記複数の光源(１５)が赤色スペクトル範囲及び／または緑色スペクトル範囲及び／または青色スペクトル範囲及び／または７５０ｎｍから１０００ｎｍの近赤外スペクトル範囲をカバーすることを特徴とする請求項１または２に記載のスペクトルセンサ(１００)。
【請求項４】
前記複数の光源(１５)が赤色スペクトル範囲及び／または緑色スペクトル範囲及び／または青色スペクトル範囲を、それぞれの前記スペクトル範囲内に前記光源(１５)の前記発光スペクトル(Ｅ１〜Ｅ１２)の内の少なくとも２つの相異なる発光スペクトルがあるような態様で、カバーすることを特徴とする請求項１から３のいずれかに記載のスペクトルセンサ(１００)。
【請求項５】
前記複数の光源(１５)が７５０ｎｍから１０００ｎｍまでの近赤外スペクトル範囲及び／または１０００ｎｍから１６００ｎｍまでの近赤外スペクトル範囲を、それぞれの前記スペクトル範囲内に前記光源(１５)の相異なる発光スペクトルの内少なくとも３つがあるような態様で、カバーすることを特徴とする請求項１から４のいずれかに記載のスペクトルセンサ(１００)。
【請求項６】
前記複数の光源(１５)の前記発光スペクトル(Ｅ１〜Ｅ１２)が可視スペクトル範囲内に少なくとも５つの相異なる発光スペクトルを含むことを特徴とする請求項１から５のいずれかに記載のスペクトルセンサ(１００)。
【請求項７】
前記光源(１５)の内の少なくとも３つのスペクトル上で相互に隣接する、前記発光スペクトルが、スペクトル上で重なり合う、及び／または、スペクトル間隔が６０ｎｍ以下の、それぞれ相異なる発光ピークを有することを特徴とする請求項１から６のいずれかに記載のスペクトルセンサ(１００)。
【請求項８】
前記照明ユニット(５０)が、前記光源(１５)によって放射される光を集光するため、前記光源(１５)と前記結像光学系(２５)の間に配置された集光光学系を有し、前記集光光学系が、前記光源(１５)の内の１つによってそれぞれ放射される光を集光することができる、並行して配置された複数のレンズを有することを特徴とする請求項１から７のいずれかに記載のスペクトルセンサ(１００)。
【請求項９】
前記スペクトルセンサ(１００)が検出光学系(３５)を備え、前記検出光学系(３５)と前記検出ユニット(３０)が、前記スペクトルセンサ(１００)の動作時に、前記照明領域(２)から発する光の内の、前記照明領域(２)内に完全に配置された前記有価証券類(１)の検出領域(３)の光だけが検出されるような態様で構成及び配置され、前記検出領域(３)が前記照明領域(２)の一様照明区画(４)内に配置されることを特徴とする請求項１から８のいずれかに記載のスペクトルセンサ(１００)。
【請求項１０】
前記照明シーケンス(Ｂ１)の継続時間(ΔＴ)が、前記照明シーケンス(Ｂ１)中に前記光源(１５)によって放射される光パルス(Ｐ１〜Ｐ１２)の全てが前記有価証券類(１)のほぼ同じ領域(２)を照明するように、前記有価証券類(１)の前記搬送速度に対して調節されることを特徴とする請求項１から９のいずれかに記載のスペクトルセンサ(１００)。
【請求項１１】
前記照明シーケンス(Ｂ１)の最初の光パルス(Ｐ１)によって照明される前記有価証券類(１)上の領域(２Ｐ１)と同じ前記照明シーケンス(Ｂ１)の最後の光パルス(Ｐ１２)によって照明される前記有価証券類(１)上の領域(２Ｐ１２)が少なくとも７５％は重なり合うことを特徴とする請求項１から１０のいずれかに記載のスペクトルセンサ(１００)。
【請求項１２】
前記検出ユニット(３０)が、可視スペクトル範囲の光の検出及び近赤外スペクトル範囲の光の検出のいずれのためにも構成された、ＩｎＧａＡｓ光検出器であることを特徴とする請求項１から１１のいずれかに記載のスペクトルセンサ(１００)。
【請求項１３】
有価証券類を検査するための方法において、
検査されるべき有価証券類(１)を、前記有価証券類(１)を検査するために構成されたスペクトルセンサ(１００)下を搬送速度で、搬送する工程、
それぞれの発光スペクトル(Ｅ１〜Ｅ１２)が相異なる複数の光源(１５)を有する照明ユニット(５０)によって前記有価証券類(１)を照明する工程であって、前記有価証券類(１)の前記照明時に、前記有価証券類(１)の一領域(２)を相異なる発光スペクトルを有する光パルス(Ｐ１〜Ｐ１２)の照明シーケンス(Ｂ１)によって照明するため、前記複数の光源(１５)のオン／オフが次々に切り換えられる工程、
前記照明ユニット(５０)によって放射される光を前記有価証券類(１)の前記領域(２)上に結像光学系を用いて結像させる工程、及び
前記有価証券類(１)の前記領域(２)から発する光を検出する工程であって、前記照明シーケンス(Ｂ１)の前記光パルス(Ｐ１〜Ｐ１２)のそれぞれに対して、前記検出光の強度に対応する測定値が検出される工程、
を有し、
前記複数の光源(１５)が近赤外スペクトル範囲の一区間及び／または可視スペクトル範囲の一区間を、前記スペクトルセンサ(１００)が、前記測定値を検出することにより、近赤外スペクトル範囲の前記区間内及び／または可視スペクトル範囲の前記区間内のスペクトル強度分布を記録することができるような態様で、カバーすることを特徴とする方法。
【請求項１４】
前記領域(２)を照明する前記照明シーケンス(Ｂ１)が周期的に反復されることを特徴とする請求項１３に記載の方法。
【請求項１５】
相異なる照明シーケンス(Ｂ１，Ｂ２)において、同じ前記光源(１５)のそれぞれ１つの光パルスによる前記照明時に検出される、少なくとも２つの測定値が組み合わされて１つの測定値にまとめられることを特徴とする請求項１３または１４に記載の方法。